(57)【特許請求の範囲】
【請求項１】
ネットワークを通じて少なくとも１つの番組またはデータを取得するネットワーク制御部と、
双方向通信により番組、データ及び制御信号の少なくとも１つを送受信する信号処理部と、
前記信号処理部に、ＨＥＣ（HDMI Ethernet Channel）機能を有する双方向通信インタフェースにより接続する装置を介在させて外部装置を接続した場合、前記接続する装置及び前記外部装置が前記信号処理部から前記ＨＥＣ機能を用いる電源オフの指示に従って電源オフできる装置であるか否かを判定し、さらに前記信号処理部に接続する装置及び前記接続する装置を介在させて接続する外部装置が前記電源オフの指示を受け付ける装置であるか否かを、それぞれの装置に関連づけられた情報に基づいて判定して、その結果を通知するとともに、前記電源オフの指示を受け付ける装置であることが少なくとも１つの前記接続する装置及び前記外部装置について判定できない場合、アクティブ状態への遷移ができないことを通知する判定部と、
を、具備する記録再生装置。
【請求項２】
前記判定部は、前記信号処理部に接続する装置及び前記接続する装置を介在させて接続する外部装置が前記ＨＥＣ機能のうちのディアクティベート要求を受け付けない機器であることを通知する請求項１記載の記録再生装置。
【請求項３】
ＨＥＣ（HDMI Ethernet Channel）機能を有する双方向通信インタフェースにより映像表示装置、記録再生装置及び相互間に接続された全ての機器及び装置について、ＨＥＣ機能を用いる電源オフの指示に従って電源オフできる機器及び装置であるか否か、及び電源オフの指示を受け付ける機器及び装置であるか否かについて、それぞれの装置または機器に関連づけられた情報を取得し、
取得したそれぞれの装置または機器に関連づけられた情報に基いて、それぞれの装置または機器がＨＥＣ機能のうちのアクティベート要求に応答可能か否かを判定し、
ＨＥＣ機能のうちのアクティベート要求に応答できない装置または機器について、応答できない装置または機器であることの通知を、相互間に接続される機器及び装置とは異なる第二の装置に送信するとともに、少なくとも１つの装置について判定できない場合、アクティブ状態への遷移ができないことを通知する映像表示装置、記録再生装置及び相互間に接続される機器及び装置の制御方法。
【請求項４】
双方向通信インタフェースにより映像表示装置、記録再生装置及び相互間に接続された全ての装置が全てＨＥＣアクティベート可能である場合、ＨＥＣモードに遷移する請求項３記載の機器及び装置の制御方法。
【請求項５】
ＨＥＣ（HDMI Ethernet Channel）機能を有する双方向通信インタフェースにより映像表示装置、記録再生装置及び相互間に接続された全ての機器及び装置について、ＨＥＣ機能を用いる電源オフの指示に従って電源オフできる機器及び装置であるか否か、及び電源オフの指示を受け付ける機器及び装置であるか否かについて、それぞれの装置または機器に関連づけられた情報を取得し、
取得したそれぞれの装置または機器に関連づけられた情報に基いて、それぞれの装置または機器がＨＥＣ機能のうちのアクティベート要求に応答可能か否かを判定し、
ＨＥＣ機能のうちのアクティベート要求に応答できない装置または機器について、応答できない装置または機器であることの通知を、相互間に接続される機器及び装置とは異なる第二の装置に送信するとともに、アクティベート要求に応答できない装置または機器について、アクティブ状態への遷移ができないことを、前記第二の装置に送信する映像表示装置、記録再生装置及び相互間に接続される機器及び装置の制御方法。
【請求項６】
双方向通信インタフェースにより映像表示装置、記録再生装置及び相互間に接続された全ての機器及び装置が全てＨＥＣアクティベート可能である場合、ＨＥＣモードに遷移する請求項５記載の機器及び装置の制御方法。
【請求項７】
ＨＰＤ（Hot Plug Detect）信号の変化を検出してＨＥＣモードを終了する請求項６記載の機器及び装置の制御方法。
【請求項８】
ネットワークを通じて少なくとも１つの番組またはデータを取得するネットワーク制御部と、
双方向通信により番組、データ及び制御信号の少なくとも１つを送受信する信号処理部と、
前記信号処理部に、ＨＥＣ（HDMI Ethernet Channel）機能を有する双方向通信インタフェースにより接続する装置を介在させて外部装置を接続した場合、前記接続する装置及び前記外部装置が前記信号処理部から前記ＨＥＣ機能を用いる電源オフの指示に従って電源オフできる装置であるか否かを判定し、さらに前記信号処理部に接続する装置及び前記接続する装置を介在させて接続する外部装置が前記電源オフの指示を確実に受け付けるよう設計された装置であるか否かを、それぞれの装置に関連づけられた情報に基づいて判定して、その結果を通知するとともに、前記電源オフの指示を確実に受け付けるよう設計された装置であることが少なくとも１つの前記接続する装置及び前記外部装置について判定できない場合、アクティブ状態への遷移ができないことを通知する判定部と、
を、具備する記録再生装置。
【請求項９】
前記判定部は、前記信号処理部に接続する装置及び前記接続する装置を介在させて接続する外部装置が前記ＨＥＣ機能のうちのディアクティベート要求を受け付けない機器であることを通知する請求項８記載の記録再生装置。
【発明の詳細な説明】
【技術分野】
【０００１】
本発明の実施の形態は、双方向通信インタフェースにより接続される記録再生装置、記録再生装置及び映像表示装置相互間に接続される機器の制御方法に関する。
【背景技術】
【０００２】
双方向通信インタフェース装置として、ＨＤＭＩ（High-definition Digital Media Interface）が広く利用されている。
【０００３】
また、ＨＤＭＩを用いる接続に加え、ＬＡＮ（Local Area Network）を経由した記録再生装置との映像表示装置の接続により、例えばパーソナルコンピュータ（Personal Computer，ＰＣ）により記録再生装置が保持するコンテンツすなわち映像及びオーディオ（広く、番組と称される）の再生が可能である。
【０００４】
ＨＤＭＩを用いる接続においても、後に制定されたＣＥＣ（Consumer Electronics Control）規格に続き、ＡＲＣ（Audio Return Channel，バージョン１．４）や、イーサネット（登録商標）／Ethernet（登録商標）を経由した制御信号の受け渡しが可能なＨＥＣ（HDMI Ethernet Channel，バージョン１．４）等が制定されている。
【先行技術文献】
【特許文献】
【０００５】
【特許文献１】特開２００９−２５３３９０号公報
【発明の概要】
【発明が解決しようとする課題】
【０００６】
双方向通信インタフェースを経由して接続された映像表示装置と記録再生装置との間に接続される装置は、映像表示装置または記録再生装置の一方の電源をオンすることで、その電源がオンされる（起動する。反面、映像表示装置または記録再生装置の電源をオフした場合、接続される装置の電源がオフできなくなるという不安定性を含む。一例であるが、映像表示装置と接続される装置を映像表示装置から起動し、その映像表示装置の電源をオフした場合、映像表示装置と接続される装置の電源がオンのままとなることがある。
【０００７】
本発明の目的は、双方向通信インタフェースにより接続される記録再生装置、記録再生装置及び映像表示装置相互間に接続される機器の制御方法を提供することである。
【課題を解決するための手段】
【０００８】
実施形態によれば、記録再生装置は、ネットワーク制御部と、信号処理部と、判定部と、具備する。ネットワーク制御部は、ネットワークを通じて少なくとも１つの番組またはデータを取得する。信号処理部は、双方向通信により番組、データ及び制御信号の少なくとも１つを送受信する。判定部は、前記信号処理部に、ＨＥＣ（HDMI Ethernet Channel）機能を有する双方向通信インタフェースにより接続する装置を介在させて外部装置を接続した場合、前記接続する装置及び前記外部装置が前記信号処理部から前記ＨＥＣ機能を用いる電源オフの指示に従って電源オフできる装置であるか否かを判定し、さらに前記信号処理部に接続する装置及び前記接続する装置を介在させて接続する外部装置が前記電源オフの指示を受け付ける装置であるか否かを、それぞれの装置に関連づけられた情報に基づいて判定して、その結果を通知するとともに、前記電源オフの指示を受け付ける装置であることが少なくとも１つの前記接続する装置及び前記外部装置について判定できない場合、アクティブ状態への遷移ができないことを通知する。
【図面の簡単な説明】
【０００９】
【図１】実施形態の一例を示す概略図。
【図２】実施形態の一例を示す概略図。
【図３】実施形態の一例を示す概略図。
【図４】実施形態の一例を示す概略図。
【図５】実施形態の一例を示す概略図。
【図６】実施形態の一例を示す概略図。
【発明を実施するための形態】
【００１０】
以下、実施の形態について図面を参照して説明する。
【００１１】
図１は、実施形態を適用する映像表示装置（例えば、テレビジョン受信装置、以下ＴＶ装置と称する）と記録再生装置（例えば、レコーダ装置）との間で、両者間において順に接続する複数の装置（リピータ装置）を双方向通信インタフェース（例えば、ＬＡＮ（ネットワーク網）に対してＬＡＮケーブルあるいはＨＤＭＩ（High-definition Digital Media Interface）規格のインタフェースに対してＨＤＭＩケーブル）により接続する一例を示す。なお、以下に説明する要素や構成あるいは機能は、ハードウエアで実現するものであってもよいし、マイクロコンピュータ（処理装置、ＣＰＵ）等、を用いてソフトウエアで実現するものであってもよい。
【００１２】
図１に示すシンク（sink）機器(Ａ)１、例えばＴＶ装置には、第１のリピータ（Repeater）機器(Ｂ)１０１、第２のリピータ（Repeater）機器(Ｃ)２０１、第１のソース（source）機器(Ｄ)３０１、例えばレコーダ装置、第１のリピータ機器(Ｂ)１０１に対して第２のリピータ機器(Ｃ)２０１と並列に接続する第２のソース（source）機器(Ｅ)４０１、第２のリピータ機器(Ｃ)２０１に対して第１のソース（source）機器(Ｄ)３０１と並列に接続する第３のソース（source）機器(Ｆ)５０１が順に接続している。
【００１３】
すなわち、図１は、ＴＶ装置（シンク機器(Ａ)）１に、第１のリピータ機器(Ｂ)１０１と第２のリピータ機器(Ｃ)２０１が順に接続され、第２のリピータ機器(Ｃ)２０１に、第１のソース機器(Ｄ)３０１が接続されている状態を示す。
【００１４】
なお、図１に示す接続は、第１のソース機器(Ｄ)すなわちレコーダ装置３０１からＴＶ装置１に向けて、接続を順にさかのぼると、第２のリピータ機器(Ｃ)２０１と第１のリピータ機器(Ｂ)１０１が、レコーダ装置３０１とＴＶ装置１との間に直列に接続されていることになる。
【００１５】
ＴＶ装置（シンク機器(Ａ)）１は、番組を受信して選局するチューナ部、チューナ部が選局した番組の映像（ビデオ）を表示部が表示可能に、かつオーディオ出力端にオーディオ（音声）出力を出力する信号処理部と、ネットワーク、例えばインターネット網１００１から番組（データ）を取得可能なＬＡＮ制御部Ｌ(Ａ)１、ＬＡＮ制御部Ｌ(Ａ)１と接続され、ＬＡＮ制御部Ｌ(Ａ)１を経由して取得する番組（データ）を信号処理部へ入力するとともに、外部に接続する外部装置との間で、ＬＡＮ制御部Ｌ(Ａ)１を経由して取得する番組（データ）の受け渡しが可能なＨＤＭＩ−ＨＥＣ（HDMI Ethernet Channel，バージョン１．４）ポートＰ(Ａ)１を、少なくとも含む。
【００１６】
なお、ＬＡＮ制御部Ｌ(Ａ)１は信号処理部により制御されるものでも良いし、ＬＡＮ制御部として独立した制御部（サブ制御部）を有するものであってもよい。また、ＨＤＭＩ−ＨＥＣポートＰ(Ａ)１は、主として信号処理部により制御されるが、ポートＰ(Ａ)１内に、ＨＤＭＩ制御のための独立した制御部（サブ制御部）を有するものであってもよい。もちろん、ＬＡＮ制御部Ｌ(Ａ)１とポートＰ(Ａ)１とが、一体化されたサブ（副）制御部により制御されることも可能であり、制御部としての厳密な境界は、装置の提供元により任意に設定される。
【００１７】
第１及び第２のリピータ機器(Ｂ)１０１，リピータ機器(Ｃ)２０１は、それぞれ、ＨＤＭＩケーブルによる信号及びデータの入力側（出力側）として利用される第１のＨＤＭＩポートＰ(Ｂ)１，Ｐ(Ｃ)１、ＨＤＭＩケーブルによる信号及びデータの出力側（入力側）として利用される第２のＨＤＭＩポートＰ(Ｂ)２，Ｐ(Ｃ)２、ＨＤＭＩケーブルによる信号及びデータの出力側（入力側）として利用される第３のＨＤＭＩポートＰ(Ｂ)３，Ｐ(Ｃ)３、を少なくとも含む。なお、それぞれのポートは、信号処理部と接続され、シンク機器(Ａ)１及び第１のソース機器(Ｄ)３０１が提供する制御信号に従い、所定の動作を行う。
【００１８】
第１のソース機器(Ｄ)すなわちレコーダ装置３０１は、主制御装置として機能するＭＰＵ（処理装置）と、映像（ビデオ）及び音声（オーディオ）信号の分離、デコード、エンコード等の信号処理を受け持つ信号処理部、外部から入力される映像及び音声を受け付けるとともに、必要に応じて制御信号を出力する入出力部（Ｉ／Ｏポート）、ＨＤＭＩポートＰ(Ｄ)１、ＬＡＮ制御部Ｌ(Ｄ)１等を、少なくとも含む。ＨＤＭＩポートＰ(Ｄ)１は、ＬＡＮ制御部Ｌ(Ｄ)１を経由してインターネット網１００１から取得する番組（データ）の受け渡しが可能なＨＤＭＩ−ＨＥＣに準拠することが好ましい。
【００１９】
信号処理部の出力は、例えばハードディスクＨＤＤに記録される。また、信号処理部の出力は、映像（ビデオ）出力及び音声（オーディオ）出力に、それぞれ、出力される。
【００２０】
一方、ＨＤＭＩポートＰ(Ｄ)１を通じて入出力される制御信号及び映像（ビデオ）信号及び音声（オーディオ）信号も信号処理部に供給される。なお、ＨＤＭＩポートＰ(Ｄ)１を通じて入出力される制御信号、映像（ビデオ）信号及び音声（オーディオ）信号は、ＬＡＮ制御部Ｌ(Ｄ)１を経由して取得する番組（データ）を含む。
【００２１】
第２のソース機器(Ｅ)４０１及び第３のソース機器(Ｆ)５０１は、詳細を省略するが、例えば第１のソース機器(Ｄ)３０１と同様に、レコーダ機器であるとすれば、信号の入出力に利用されるＩ／Ｏポート、信号処理部、ＨＤＭＩケーブルによる信号及びデータの入力側（出力側）として利用されるＨＤＭＩポートＰ(Ｅ)１，Ｐ(Ｆ)１及び個々のＨＤＭＩポートＰ(Ｅ)１，Ｐ(Ｆ)１と接続されるとともに、インターネット網１００１との接続及び番組の取得が可能なＬＡＮ制御部Ｌ(Ｅ)１，Ｌ(Ｆ)１を、少なくとも含む。
【００２２】
シンク機器は、図１に示したようなＴＶ装置１や、モニタ装置、あるいはプロジェクタ装置等を含む。
【００２３】
ソース機器は、図１に示したようなレコーダ装置（ソース機器(Ｄ)）３０１や、ＳＴＢ（Set Top Box，広義には外部チューナ装置、狭義には有線にて接続する供給元が供給する番組を選択する接続装置）を含む。
【００２４】
リピータ機器は、例えばＡＶ（Audio Visual）アンプ装置やスピーカ（オーディオ再生装置）、もしくは切り替え器（セレクタ）、あるいはゲーム機器の接続のための分配器等を含む。
【００２５】
なお、図１に示す接続においては、第１のリピータ機器(Ｂ)１０１が、例えばＡＶ（Audio Visual）アンプ装置であり、第２のリピータ機器(Ｃ)２０１が、例えばセレクタ（切り替え器）であるものとする。
【００２６】
また、双方向通信インタフェースであるＨＤＭＩが、ＨＤＭＩ−ＣＥＣ（Consumer Electronics Control）に準拠するバージョンである場合、シンク機器は、ネットワーク（Local Area Network，ＬＡＮ）内の任意の装置またはＨＤＭＩ−ＣＥＣに準拠したＨＤＭＩケーブルにより接続された任意の装置に対し、所定の制御信号、例えば主電源がオフしている状態で主電源をオンする起動信号（WOL，Wake On LAN、すなわちウェイクオンラン信号）、あるいは主電源がオンしている状態から主電源をオフする終了信号等を、出力できる。    
図１に示す接続においては、図２に抜き出して信号の流れを説明するが、ＴＶ装置（シンク機器(Ａ)）１との間に、第１のリピータ装置(Ｂ)１０１と第２のリピータ装置(Ｃ)２０１とを介在させて（ＴＶ装置１と）接続するレコーダ装置（第１のソース機器(Ｄ)）３０１は、第１のリピータ装置(Ｂ)１０１及び第２のリピータ装置(Ｃ)２０１、すなわち途中に直列的に接続される任意数の機器について、ＨＤＭＩバージョン１．４で制定されたＨＥＣ（HDMI Ethernet Channel，以下、単にＨＥＣと示す）情報を、例えばベンダー（Vendor，装置の製造元が用意する固有の情報）、モデル名、シンク機器の情報を、ＥＤＩＤ（Extended Display Identification Data）、ＨＤＭＩ−ＣＥＣ（Consumer Electronics Control）等により、取得する［ａ］。
【００２７】
次に、第２のリピータ機器(Ｃ)２０１が、ＴＶ装置（シンク機器(Ａ)）１とレコーダ装置（第１のソース機器(Ｄ)）と間のＨＤＭＩバージョン１．４に準拠した接続、すなわちＨＤＭＩ−ＨＥＣにイーサネットデータを流せる状態（以下、アクティブ状態、と称する）にするため、“Activate  Ａ−Ｄ（アクティベート(Ａ)＜−＞(Ｄ)）”コマンドを送信する（図２（ａ）−［２１１］参照）［ｂ］。
【００２８】
［ｂ］において第２のリピータ機器(Ｃ)２０１が送信した“Activate  Ａ−Ｄ”コマンドを受信した第１のソース機器(Ｄ)３０１は、［ａ］で取得した第２のリピータ機器(Ｃ)２０１のＨＥＣ情報を参照して、第２のリピータ機器(Ｃ)２０１が、第１のソース機器(Ｄ)３０１が送信するＨＥＣ終了要求（以下、ディアクティベート要求［De-activate要求］）コマンドを確実に受け付けてくれる機器か、そうではないかを判断する［ｃ］。
［ｃ］の結果、第１のソース機器(Ｄ)３０１は、第２のリピータ機器(Ｃ)２０１が、De-activate要求（ディアクティベート要求）を確実に受け付けてくれる機器であると判断した場合、［ｂ］において第２のリピータ機器(Ｃ)２０１が送信した“Activate  Ａ−Ｄ”コマンドに対して、アクティブ状態への遷移可能であることを意味するReport state 1（リポートステート１）を送信する（図２（ｂ）−［２２１］参照）。
【００２９】
一方で、［ｃ］の結果、第１のソース機器(Ｄ)３０１は、第２のリピータ機器(Ｃ)２０１が、De-activate要求（ディアクティベート要求）を受け付けてくれない機器であると判断した場合、［ｂ］において第２のリピータ機器(Ｃ)２０１が送信した“Activate  Ａ−Ｄ”コマンドに対して、アクティブ状態への遷移ができないことを意味するReport state 2（リポートステート２）を送信する（図２（ｄ）−［２４１］参照））［ｄ］。
【００３０】
従って、図２（ｂ）に示す例では、第１のリピータ機器(Ｂ)１０１がDe-activate要求（ディアクティベート要求）を確実に受け付けてくれる機器であると判断した場合に、第１のソース機器(Ｄ)３０１が、リポートステート１［２２２］を送信する。同様に、シンク機器(Ａ)１がDe-activate要求（ディアクティベート要求）を確実に受け付けてくれる機器であると判断した場合に、第１のソース機器(Ｄ)３０１が、リポートステート１［２２３］を送信する。
【００３１】
このように、第１のソース機器(Ｄ)３０１とシンク機器(Ａ)１との間に位置する全てのリピータ機器(Ｂ)１０１，(Ｃ)２０１とシンク機器(Ａ)１について、［ａ］で取得したＨＥＣ情報に基づき、［ｂ］において第２のリピータ機器(Ｃ)２０１が送信した“Activate  Ａ−Ｄ”コマンドに対してアクティブ状態への遷移可能であることを、第１のソース機器(Ｄ)３０１が、検出（把握）できた場合、アクティブＨＥＣが構築できることになる（図２（ｃ）−［２３１］参照）。すなわち［ｂ］において第２のリピータ機器(Ｃ)２０１が送信した“Activate  Ａ−Ｄ”コマンドに対して、シンク機器(Ａ)１、シンク機器(Ａ)１と第１のソース機器(Ｄ)３０１との間に介在する任意数のリピータ機器(Ｂ)，(Ｃ)のそれぞれについて、第１のソース機器(Ｄ)３０１がリポートステート１を送信できる条件が整った場合、シンク機器(Ａ)１から第１のソース機器(Ｄ)３０１の間に位置する任意数のリピータ機器(Ｂ)，(Ｃ)について、アクティブＨＥＣを構築できる（同［２３１］）。
【００３２】
なお、図２により説明する［ａ］〜［ｃ］は、図３に示す通り、ＨＥＣ接続機器の情報取得［３０１］、ＨＥＣ接続要求［３０２］、ＨＥＣ接続可能な機器であるか否かの判定［３０３］、ＨＥＣ接続可能な機器である場合［３０３−ＹＥＳ］のＨＥＣ設定処理［３０４］、及びＨＥＣ接続許可コマンドの送信［３０５］により、詳細に説明できる。ここで、ＨＥＣ接続可能な機器ではない場合［３０３−ＮＯ］には、ＨＥＣ接続拒否コマンドが送信される［３０６］ことはいうまでもない。
【００３３】
また、図２により説明したアクティブＨＥＣが得られた（第１のソース機器(Ｄ)３０１とシンク機器(Ａ)１との間に介在する第１及び第２のリピータ機器(Ｂ)１０１，(Ｃ)２０１がＨＥＣ接続可能な機器であることが検出できた）場合、図４に一例を示すが、ＨＤＭＩケーブルのＨＰＤ（Hot Plug Detected）信号がＨｉｇｈからＬｏｗ＜＜Ｈ→Ｌ＞＞に変化したことを第１のソース機器(Ｄ)３０１が検出できることを条件とし［４０１］、第１のソース機器(Ｄ)３０１が自らアクティブ状態にした機器を含むＨＤＭＩ接続中の経路（以下、アクティブＨＥＣ）を確認し［４０２］、第１のソース機器(Ｄ)３０１が自らアクティブ状態にした機器をディアクティベート（アクティブＨＥＣを終了）するためのコマンドの送信［４０３］により、ＨＥＣ未使用状態（自らアクティブ状態にした全ての機器のＨＥＣの終了）に遷移する［４０４］により、ＨＥＣにより起動した全ての機器の電源をオフできる。なお、このとき、内部に保持している他の機器が作ったアクティブＨＥＣに関係する情報は破棄するものとする。
【００３４】
これにより、第１のソース機器(Ｄ)すなわちレコーダ装置３０１は、ディアクティベート要求を確実に受け付けてくれる機器（前記De-activate要求（ディアクティベートコマンド）を確実に受け付けるよう設計された機器からのアクティベート要求だけを受け付けることで、ＨＤＭＩあるいはＬＡＮにより接続された周辺の任意数の装置、特にリピータ機器の電源を、自らの都合で切れなくなるという不都合を解消することができる。
【００３５】
従って、第２のリピータ機器(Ｃ)２０１と第１のリピータ機器(Ｂ)１０１を介在させて第１のソース機器(Ｄ)すなわちレコーダ装置３０１と接続されるシンク機器(Ａ)すなわちＴＶ装置１は、レコーダ装置３０１による起動（主電源オン）と終了（主電源オフ）が、レコーダ装置３０１により制御される。また、ＴＶ装置１の主電源がレコーダ装置３０１の制御によりオフ（終了）される場合、相互間に介在する第１及び第２のリピータ機器(Ｂ)１０１，(Ｃ)２０１の主電源も、確実にオフできる。
【００３６】
すなわち、上述の通り、ディアクティベート要求を確実に受け付けてくれる機器（前記De-activate要求（ディアクティベートコマンド）を確実に受け付けるよう設計された機器からアクティベート要求だけを受け付けるよう、第１のソース機器(Ｄ)３０１を構成することで、アクティブＨＥＣ中にＨＤＭＩケーブルが抜けるなどの事故が発生した際に、アクティブＨＥＣのタイムアウト時間（最大２分２０秒）を待たずに、ＨＤＭＩあるいはＬＡＮにより接続された周辺の任意の装置の電源を切る（オフする）ことができる。
【００３７】
より詳細には、ソース機器(Ｄ)３０１は、ソース機器（自身）とシンク機器(Ａ)１との間に接続される機器について、ＣＥＣデータのベンダーＩＤ（ベンダー情報）や物理アドレス等の情報から自身からのＨＥＣ使用要求に対し、ＨＥＣ使用要求を受け付ける機器であるか否か、すなわち、ソース機器（自身）とシンク機器(Ａ)１との間に接続される機器が、どんな機器であるか判断し、ＨＥＣ使用要求の受付可否を判断する。これにより、ＨＥＣ使用要求に対応できない機器については、自身が構築するアクティブＨＥＣの経路外とすることができ、ＨＤＭＩ出力端子のＨＰＤ信号が、例えばＨｉｇｈ（Ｈ）からＬｏｗ（Ｌ）に変化した場合にその変化を検出し、ＨＥＣ使用を直ちに終了することができる。
【００３８】
図５は、図１が示すＴＶ装置（シンク機器(Ａ)）の構成の一例、及びシンク機器(Ａ)と第１のソース機器(Ｄ)までの間に、アクティブＨＥＣを構築可能に位置する第１及び第２のリピータ機器(Ｂ)，(Ｃ)の一例を示す。図６は、図１が示す第１のソース機器(Ｄ)の一例であり、シンク機器(Ａ)との間に第１及び第２のリピータ機器(Ｂ)，(Ｃ)を介在させてアクティブＨＥＣを構築可能な装置であるレコーダ装置の構成の一例を示す。
【００３９】
ＴＶ装置１は、例えば空間波や有線方式（伝送）により供給されるテレビジョン放送を受信して音声（オーディオ）及び映像（ビデオ）を再生する。
【００４０】
ＴＶ装置１は、少なくともデジタル放送の番組すなわちコンテンツを受信し、再生できる。なお、ＴＶ装置１は、インターネット（ネットワーク）網１００１を通じて供給されるコンテンツの受信が可能である。
【００４１】
ＴＶ装置１において、コンテンツ（番組）を受信するチューナ部１１が受信したコンテンツは、分離（Ｄｅｍｕｘ）部１２により、映像（ビデオ）データと音声（オーディオ）データとに分離される。
【００４２】
分離部１２が分離した映像（ビデオ）データは、映像（ビデオ）処理ブロック２１の映像（ビデオ）デコーダ２２によりデコードされ、デジタル映像（ビデオ）信号として出力される。
【００４３】
映像デコーダ２２がデコードした映像（ビデオ）データは、映像出力装置を表示可能に処理する映像（ビデオ）処理部２３に入力され、後段のディスプレイ２４が表示可能に、所定の解像度及び出力方式、例えばインターレース（ｉ）／ノンインターレース（ｐ）等に変換され、ディスプレイ２４に供給される。なお、映像（ビデオ）処理部２３の出力は、例えば外部モニタ装置あるいは投影装置（プロジェクタ装置）等が接続可能な、出力端２５に出力されてもよい。
【００４４】
分離部１２が分離した音声データは、音声（オーディオ）処理ブロック３１の音声（オーディオ）デコーダ３２によりデコードされ、デジタル音声（オーディオ）信号として出力される。
【００４５】
音声デコーダ３２がデコードした音声（オーディオ）信号は、音声出力装置が再生可能に処理する音声（オーディオ）処理部３３を通過し、アナログの音声（オーディオ）出力を得るＤ−Ａコンバータ３４に入力される。
【００４６】
Ｄ−Ａコンバータ３４からのアナログの音声（オーディオ）出力は、例えばスピーカ３５に入力される。なお、Ｄ−Ａコンバータ３４からの出力は、ＡＶ（Audio Visual）アンプ等が接続可能な出力端３６に、さらに分岐されてもよい。すなわち、出力端３６に、図１に示したリピータ機器(Ｂ)１０１が接続される。
【００４７】
ＴＶ装置１において、チューナ部１１、分離部１２、映像（ビデオ）処理ブロック２１及び音声（オーディオ）処理ブロック３１のそれぞれは、主制御ブロック５１により制御され、所定の動作を実行する。
【００４８】
主制御ブロック（Main Processing Unit，ＭＰＵ）５１は、例えばＣＰＵ（Central Processing Unit，演算装置）あるいはマイクロコンピュータを含む。ＭＰＵ５１は、動作プログラムを保持したＲＯＭ及びワークメモリとして機能するＲＡＭを少なくとも含むメモリユニット５２、インターネット網１００１との間の接続、すなわちインターネット網１００１からのさまざまな情報の取得及びインターネット網１００１に対するユーザからのアクセス等を制御するネットワーク（ＬＡＮ）制御部５３及びＨＤＭＩバージョン１．４に準拠することによりイーサネット（登録商標）を経由するデータ／制御信号の受け渡しを制御するＨＤＭＩ制御部５４、等を少なくとも含む。
【００４９】
なお、ＨＤＭＩ制御部５４は、外部の装置との接続に用いるＨＤＭＩポート５４ａとＬＡＮ（ネットワーク）制御部５３のＨＤＭＩポート５３ａとの間のデータ及び制御信号の受け渡しが可能で、ＨＤＭＩバージョン１．４に従い、上述のアクティブＨＥＣを構築可能なＨＤＭＩポート５４ｂを含む。また、ＨＤＭＩ制御部５４のＨＤＭＩポート５４ｂとＬＡＮ制御部５３のＨＤＭＩポート５３ａとの間の信号制御及びデータの受け渡しは、例えば、ＭＰＵ５１または、ＭＰＵ５１と接続するサブ制御部（サブ制御装置）５５により制御される。
【００５０】
ＭＰＵ５１にはまた、ユーザからの制御入力を受け付ける操作入力部３が接続される。
【００５１】
操作入力部３は、例えばチューナ（入力）部１１が選択するチャンネルを特定するためのチャンネルキー（ボタン）や電源のオン／オフに用いる電源スイッチあるいはリモートコントローラ５からの指示や制御入力を受け付ける受信部、等を少なくとも含む。また、文字や記号あるいは数字等の入力を可能とするキー操作入力部（キーボード）等、が接続されてもよい。
【００５２】
図６は、図１に示すＨＤＭＩ接続において第１のソース機器(Ｄ)として利用可能なレコーダ装置の一例を示す。
【００５３】
図６において、アクティブＨＥＣによりシンク機器（ＴＶ装置１）と接続するレコーダ装置６０１は、チューナ６０２、入力回路６０３、ＤＳＰ（デジタルシグナルプロセッサ）６０４、記録装置６０５、出力回路６０６、ユーザー操作入力部（リモコン信号受信回路）６０７、電源部６０８、及びＨＤＭＩ制御部６０９、を少なくとも含む。なお、ＨＤＭＩ制御部６０９は、インターネット網１００１との間の接続、すなわちインターネット網１００１からのさまざまな情報の取得及びインターネット網１００１に対するユーザからのアクセス等を制御するネットワークコントローラ（ＬＡＮ制御部）６４１と接続する。また、ＨＤＭＩ制御部６０９は、ＬＡＮ制御部（ネットワークコントローラ）６１０との間で、ＨＤＭＩバージョン１．４に準拠することによりイーサネットを経由するデータ／制御信号の受け渡しに加え、例えばアクティブＨＥＣの構築が可能である。
【００５４】
チューナ６０２は、アンテナ端子６２１に接続されるアンテナまたは光ケーブル等を介して、録画対象の番組を放送するチャンネルを選局する。
【００５５】
入力端子６０３は、ビデオ（viedo）入力端６３１およびオーディオ（audio）入力端６３２を経由して入力されるビデオ（動画）信号およびオーディオ（音声）信号を、受けつける。
【００５６】
ＤＳＰ６０４は、主制御装置（ＣＰＵ）６４０、ネットワークコントローラ６４１、アナログ−デジタルコンバータ（ＡＤＣ）６４２、エンコーダ６４３、インタフェース６４４、デコーダ６４５、ユーザインタフェースグラフィック処理部（ＧＵＩ処理部）６４６、ビデオエンコーダ（ビデオ出力処理部）６４７、デジタル−アナログコンバータ（オーディオデコーダ（ＤＡＣ））６４８、ＥＰＧ（Electric Program Guide）処理部６４９等の要素を、少なくとも含む。なお、インタフェース６４４に、上述のＨＤＭＩ制御部６０９が接続されるが、ＨＤＭＩ制御部６０９は、ネットワークコントローラ６４１と接続されることで、上述のＨＤＭＩ−ＨＥＣ（アクティブＨＥＣ）を提供できる。
【００５７】
主制御装置（ＣＰＵ）６４０は、上述した各要素の動作、および電源部６０８の主電源（内部制御用２次回路を除く）のオン／オフを制御する。
【００５８】
ネットワークコントローラ６４１は、ＬＡＮ端子６９１を経由して、外部ネットワークから供給されるストリーム形式の番組を受信する。なお、ＬＡＮ端子６９１は、例えば同一建物内に構築される比較的小規模のネットワーク（家庭内ＬＡＮ（Local Area Network））もしくはホームサーバ（Home Saver，大容量記録装置）および接続網と接続され、例えばホームサーバを介して、外部ネットワークと接続されることもある。また、家庭内ＬＡＮあるいはネットワークは、ＤＬＮＡ（Digital Living Network Alliance（登録商標））規格に準拠することが好ましい。
【００５９】
アナログ−デジタルコンバータ（ＡＤＣ）６４２、アナログ入力されたビデオ信号およびオーディオ信号をデジタル信号に変換し、エンコーダ６４３に入力する。なお、チューナ６０２がデジタル放送を受信する場合には、チューナ６０２の出力は、そのままエンコーダ６４３に入力されることはいうまでもない。
【００６０】
エンコーダ６４３は、入力されたアナログ信号（ビデオ／オーディオ）をデジタル信号に変換（エンコード）する。なお、例えばＭＰＥＧ（Moving Picture Experts Group）−２あるいはＭＰＥＧ−４（Ｈ．２６４−ＡＶＣ））等に準拠した圧縮を伴う。
【００６１】
インタフェース６４４は、記録装置６０５との間のデータの受け渡し、あるいはリモコン信号受光回路６０７からの制御信号の入力に利用される。
【００６２】
ＨＤＭＩ制御部６０９は、ネットワークコントローラ（ＬＡＮ制御部）６４１と接続され、例えば図１に一例を示すＴＶ装置１との間に、第１のリピータ機器(Ｂ)１０１及び第２のリピータ機器(Ｃ)２０１を介在させた状態で、アクティブＨＥＣを構築できる。なお、アクティブＨＥＣの構築のための制御は、例えば主制御装置（ＣＰＵ）６４０あるいはネットワークコントローラ６４１が分担してもよい。なお、ＨＤＭＩ端子６８１には、任意の機器が、ＨＤＭＩケーブルにより接続する。
【００６３】
デコーダ６４５は、ＭＰＥＧ−２あるいはＭＰＥＧ−４（Ｈ．２６４−ＡＶＣ））等に圧縮された番組を、デコードする。
【００６４】
ユーザインタフェースグラフィック処理部（ＧＵＩ処理部）６４６は、出力回路６０６を経由して映像出力端６６１に、外部に接続されるモニタ装置に表示させるＧＵＩ（グラフィックインタフェース）画面表示を出力する。
【００６５】
ビデオエンコーダ（ビデオ出力処理部）６４７は、映像信号とＧＵＩ処理部６４６から出力されるＧＵＩ画面表示を必要に応じ合成し、映像出力端６６１に接続されるモニタ装置が表示可能に、出力回路６０６に、出力映像信号を生成する。
【００６６】
デジタル−アナログコンバータ（オーディオデコーダ（ＤＡＣ））６４８は、出力回路６０６に、オーディオ出力端６６２に接続される外部スピーカ等が再生可能に、オーディオ信号を出力する。
【００６７】
ＥＰＧ処理部６４９は、例えばＢＳデジタル放送または地上デジタル放送において番組とともに送信されるＥＰＧデータもしくはＬＡＮ端子６９１を経由して外部から取得可能なＥＰＧデータを取得し、例えばＧＵＩ処理部６４６において番組の予約時に番組表を表示させるための日付、時間、チャンネル、番組長データとして保持する。なお、取得したＥＰＧデータは、図示しないメモリ装置あるいはＨＤＤ６５１の所定の領域に保存される。
【００６８】
記録装置６０５は、例えばＨＤＤ６５１またはディスクドライブ装置６５２を含み、ＨＤＤ６５１内のＨＤあるいはディスクドライブ装置６５２にセットされるＤＶＤ規格の光ディスクＤに対して番組を記録し、もしくは既に記録されている番組を再生する。なお、ディスクドライブ装置６５２に加え、例えば半導体メモリ（メモリカード）等に番組を記録し、あるいは既に記録されている番組を再生するリーダ／ライタ（図示しない）が用意されてもよい。
【００６９】
出力回路６０６は、映像出力端６６１およびオーディオ出力端６６２に接続される再生装置、例えばモニタ装置とスピーカ装置に、ビデオエンコーダ６４７からの映像信号とＤＡＣ６４８からのオーディオ信号を出力する。
【００７０】
リモコン信号受光回路６０７は、リモコン受光部６７１において受け付けたユーザ操作入力を、インタフェース６４４を経由して、主制御装置６４０に入力する。
【００７１】
電源部６０８は、主制御装置６４０の制御により主電源がオフ可能であり、図示しないタイマ部にセットされた予約時間が到来した時点で主電源をオンし、上述した各要素の動作を、動作可能状態に維持する。
【００７２】
なお、上述した通り、ＨＤＭＩ制御部６０９は、インターネット網１００１との間の接続、すなわちインターネット網１００１からのさまざまな情報の取得及びインターネット網１００１に対するユーザからのアクセス等を制御するネットワークコントローラ（ＬＡＮ制御部）６４１と接続する。また、ＨＤＭＩ制御部６０９は、ＬＡＮ制御部（ネットワークコントローラ）６４１との間で、ＨＤＭＩバージョン１．４に準拠することによりイーサネットを経由するデータ／制御信号の受け渡し、例えばアクティブＨＥＣの構築が可能である。また、ＨＤＭＩ制御部６０９を用いるアクティブＨＥＣの構築は、ＨＤＭＩ制御部６０９と接続されるネットワークコントローラ（ＬＡＮ制御部）６４１により、例えば図１に一例を示すＴＶ装置１との間に、第１のリピータ機器(Ｂ)１０１及び第２のリピータ機器(Ｃ)２０１を介在させることができ、例えば主制御装置（ＣＰＵ）６４０あるいはネットワークコントローラ（ＬＡＮ制御部）６４１により制御されてもよいことは言うまでもない。
【００７３】
以上説明した通り、本提案により、ソース機器は、ソース機器（自身）とシンク機器との間に接続される機器について、ＨＤＭＩ−ＣＥＣにおけるＣＥＣデータから取得可能なベンダーＩＤ（ベンダー情報）や物理アドレス等の情報から自身からのＨＥＣ使用要求に対し、ＨＥＣ使用要求を受け付ける機器であるか否か、すなわち、ソース機器（自身）とシンク機器との間に接続される機器が、どんな機器であるか判断し、ＨＥＣ使用要求の受付可否を判断する。これにより、ＨＥＣ使用要求に対応できない機器は、自身が構築するアクティブＨＥＣの経路外とすることができ、ＨＤＭＩ出力端子のＨＰＤ信号が、例えばＨｉｇｈ（Ｈ）からＬｏｗ（Ｌ）に変化した場合にその変化を検出し、ＨＥＣ使用を直ちに終了することができる。
【００７４】
すなわち、双方向通信インタフェース（ＨＤＭＩバージョン１．４）に準拠するＨＥＣ（HDMI Ethernet Channel）を用いる外部からのＨＥＣアクティブ化要求の受け入れの可否を事前に判断し、ＨＥＣアクティブ化要求を受け付けることのできない装置を、経路に組み込まないことにより、ＨＤＭＩあるいはネットワーク（ＬＡＮ）接続された任意の周辺装置の電源を、（ソース機器が）自らの都合で電源オフできない状況を減らすことができ、ユーザに不利益が生じることが防止できる。
【００７５】
特に、第２のリピータ機器(Ｃ)２０１と第１のリピータ機器(Ｂ)１０１を介在させて第１のソース機器(Ｄ)すなわちレコーダ装置３０１と接続されるシンク機器(Ａ)すなわちＴＶ装置１は、レコーダ装置３０１による起動（主電源オン）と終了（主電源オフ）が、レコーダ装置３０１により制御される。また、ＴＶ装置１の主電源がレコーダ装置３０１の制御によりオフ（終了）される場合、両者間に介在する第１及び第２のリピータ機器(Ｂ)１０１，(Ｃ)２０１の主電源も、確実にオフできる。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
１…テレビジョン受信装置（ＴＶ装置、シンク機器(Ａ)）、３…操作入力部、２１…映像（ビデオ）処理ブロック、２２…映像デコーダ、２３…映像（ビデオ）処理部、３１…音声（オーディオ）処理ブロック、３２…音声デコーダ、３３…音声（オーディオ）処理部、３４…Ｄ−Ａコンバータ、３５…スピーカ、３６…出力端、５１…ＭＰＵ（主制御ブロック）、５２…メモリユニット、５３…ネットワーク（ＬＡＮ）制御部、５４…ＨＤＭＩ制御部、５５…サブ制御部（サブ制御装置）、１０１…リピータ機器(Ｂ)、２０１…リピータ機器(Ｃ)、３０１…レコーダ装置（ソース機器(Ｄ)）、４０１…ソース機器(Ｅ)、５０１…ソース機器(Ｆ)、６０９…ＨＤＭＩ制御部、６４０…主制御装置（ＣＰＵ）、６４１…ネットワークコントローラ（ＬＡＮ制御部）。
【図１】
0005150703.tif 000002
【図２】
0005150703.tif 000003
【図３】
0005150703.tif 000004
【図４】
0005150703.tif 000005
【図５】
0005150703.tif 000006
【図６】
0005150703.tif 000007